(57)【要約】【課題】  放射線治療時の患者の体位と治療台の位置とが適切であるか否かを容易に認識することが可能な放射線治療装置を提供する。【解決手段】  表示部１７には、三次元のＣＴ画像に基づいて作成されたＤＲＲ画像１０１、１０２と、Ｘ線撮影画像１０３、１０４と、治療計画通りの治療を行うために必要な患者の体位と治療台の位置を示す画像１０７が表示される。また、表示部１７には、患者のデータ等を含む各種の情報を示す情報表示領域１０５と、治療室内を撮影するカメラにより撮影された治療室内の画像１０６が表示される。【選択図】        図５
2015157011.tif 000002
【特許請求の範囲】
【請求項１】
患者を載置する治療台と、前記治療台に載置された患者に対して放射線を照射するための放射線照射部と、Ｘ線管と前記治療台に載置された患者を通過したＸ線を検出するＸ線検出器とを備えたＸ線撮影部と、を備えた放射線治療装置において、
治療時における患者の体位情報と、治療時の治療台の位置情報とを含む治療計画情報を記憶する記憶部と、
前記記憶部に記憶された治療計画情報における患者の体位情報と、治療計画情報における治療台の位置情報とに基づいて、治療を行うときの患者の体位と治療台の位置とを表示部に表示させる制御部と、を備える放射線治療装置。
【請求項２】
請求項１に記載の放射線治療装置において、
前記制御部は、前記記憶部に記憶された治療計画情報における治療台の位置情報と、治療開始時の治療台の位置との差が所定以上のときに警告を行う、放射線治療装置。
【請求項３】
請求項１または請求項２に記載の放射線治療装置において、
前記制御部が、前記放射線照射部、前記Ｘ線管、及び、前記Ｘ線検出器のうちの少なくとも１つの位置を、前記表示部にさらに表示させる、放射線治療装置。
【請求項４】
請求項１から請求項３のいずれかに記載の放射線治療装置において、
前記制御部が、前記放射線治療装置が配置されている治療室内を撮影するカメラにより撮影された患者を含む前記治療室内の画像を、前記表示部にさらに表示させる、放射線治療装置。
【発明の詳細な説明】
【技術分野】
【０００１】
この発明は、患者を載置する治療台と、治療台に載置された患者に対して放射線を照射するための放射線照射部と、Ｘ線管と治療台に載置された患者を通過したＸ線を検出するＸ線検出器とを備えたＸ線撮影部とを備えた放射線治療装置に関する。
【背景技術】
【０００２】
このような放射線治療装置を利用して放射線治療を実行するときには、通常、治療計画と放射線の照射とが別に実行される。そして、治療計画時と放射線の照射時には、患者の体位が一致するように位置決めを行うことが必要となる。一方、放射線治療を実行するときには、放射線を患部に対して様々な方向から照射する必要がある。このため、患者は、仰向け、うつぶせ、斜め等の複数の体位をとるばかりではなく、治療台も６軸方向に移動・回転させることで放射線の照射方向の選択肢を増やしている。そして、このような条件の下で、治療台上の患者が正しい姿勢となっているか否かを認識する必要がある。
【０００３】
特許文献１には、準備室での粗位置決め時の治療台の位置情報をディスプレイ上に表示するようにした放射線治療装置が開示されている。また、特許文献２には、患者をカメラにより撮影した画像をモニタ上に表示する放射線治療システムが開示されている。
【先行技術文献】
【特許文献】
【０００４】
【特許文献１】特開２００７−２８９３７３号公報
【特許文献２】特開２０１０−９４１５４号公報
【発明の開示】
【発明が解決しようとする課題】
【０００５】
上述したように、患者の体位は様々であり、また、治療台も６軸方向に移動・回転する構成であることから、特許文献１に記載されたように、オペレータが治療台の位置データを確認したとしても、治療台が正しい位置に設置されているか否かを容易に認識することは不可能である。また、特許文献２に記載されたように、オペレータがカメラにより撮影した画像を確認したとしても、それが放射線の照射に適したものであるのか否かを確認することは困難である。
【０００６】
この発明は上記課題を解決するためになされたものであり、放射線治療時の患者の体位と治療台の位置とが適切であるか否かを容易に認識することが可能な放射線治療装置を提供することを目的とする。
【課題を解決するための手段】
【０００７】
第１の発明では、患者を載置する治療台と、前記治療台に載置された患者に対して放射線を照射するための放射線照射部と、Ｘ線管と前記治療台に載置された患者を通過したＸ線を検出するＸ線検出器とを備えたＸ線撮影部と、を備えた放射線治療装置において、治療時における患者の体位情報と、治療時の治療台の位置情報とを含む治療計画情報を記憶する記憶部と、前記記憶部に記憶された治療計画情報における患者の体位情報と、治療計画情報における治療台の位置情報とに基づいて、治療を行うときの患者の体位と治療台の位置とを表示部に表示させる制御部と、を備える。
【０００８】
第２の発明では、前記制御部は、前記記憶部に記憶された治療計画情報における治療台の位置情報と、治療開始時の治療台の位置との差が所定以上のときに警告を行う。
【０００９】
第３の発明では、前記制御部は、前記放射線照射部、前記Ｘ線管、及び前記Ｘ線検出器の少なくとも１つの位置を、前記表示部にさらに表示させる。
【００１０】
第４の発明では、前記制御部が、前記放射線治療装置が配置されている治療室内を撮影するカメラにより撮影された患者を含む前記治療室内の画像を、前記表示部にさらに表示させる。
【発明の効果】
【００１１】
第１の発明によれば、治療計画に基づく患者の体位と治療台の位置とを表示部に表示することから、放射線治療時の患者の体位と治療台の位置とが適切であるか否かを容易に認識することが可能となる。
【００１２】
第２の発明によれば、治療計画情報における治療台の位置情報と治療開始時の治療台の位置との差が所定以上のときに警告表示を行うことから、放射線治療時の治療台の位置が適切でない場合に、それを容易に認識することが可能となる。
【００１３】
第３の発明によれば、治療計画に基づく患者の体位と治療台の位置とに加えて、放射線照射部とＸ線管とＸ線検出器の位置を表示部に表示することから、これらを対比することで放射線照射部とＸ線管とＸ線検出器との位置の適否をも確認することが可能となる。
【００１４】
第４の発明によれば、治療計画に基づく患者の体位と治療台の位置とに加えて、治療室内を撮影するカメラにより撮影された患者を含む治療室内の画像を表示することから、これらを対比することで、放射線治療時の患者の体位と治療台の位置とが適切であるか否かをさらに容易に認識することが可能となる。
【図面の簡単な説明】
【００１５】
【図１】この発明の第１実施形態に係る放射線治療装置の概要図である。
【図２】この発明の第１実施形態に係る放射線治療装置のブロック図である。
【図３】放射線治療の基本的な工程を示すフローチャートである。
【図４】患者５７の位置決め工程を示すフローチャートである。
【図５】表示部１７の画面を示す概要図である。
【図６】患者５７および治療台２７を示す概要図である。
【図７】表示部１７の画面を示す概要図である。
【図８】患者５７および治療台２７を示す概要図である。
【図９】この発明の第２実施形態に係る放射線治療装置の概要図である。
【図１０】放射線治療装置におけるヘッド５５およびヘッド支持部５４の揺動動作を示す説明図である。
【図１１】第１Ｘ線管１ａ、第２Ｘ線管１ｂ、第１Ｘ線検出器２ａ、第２Ｘ線検出器２ｂが、各々、第１透視位置および第２透視位置に配置された状態を示す説明図である。
【図１２】表示部１７の画面を示す概要図である。
【発明を実施するための形態】
【００１６】
以下、この発明の実施の形態を図面に基づいて説明する。図１は、この発明の第１実施形態に係る放射線治療装置の概要図であり、図２は、その主要な制御系を示すブロック図である。なお、この放射線治療装置を構成する放射線照射部１１やＸ線撮影部１２は、それぞれが独立した装置であり、個々に制御部を備えているが、図２においては、放射線治療装置全体の機能的構成をブロック図で示している。
【００１７】
この放射線治療装置は、患者５７を載置するための治療台２７を備える。この治療台２７は、後述する治療台移動機構１８により、６軸方向に移動および回転可能となっている。また、この放射線治療装置は、各々、Ｘ線や電子線等の放射線を射出する水平照射ポート２１および垂直照射ポート２２を備えた放射線照射部１１を備える。また、この放射線治療装置は、一対のＸ線管２５、２６と、これらのＸ線管２５、２６から照射され患者５７を通過したＸ線を測定するための一対のＸ線検出器２３、２４とを備えたＸ線撮影部１２を備える。なお、Ｘ線検出器２３、２４としては、例えば、イメージインテンシファイア（Ｉ．Ｉ．）やフラットパネルディテクタ（ＦＰＤ）が使用される。さらに、この放射線治療装置は、患者５７をＣＴ撮影するＣＴ撮影装置１４と、患者５７に対する治療計画を作成する治療計画装置１５と、院内システム等とネットワークを介して接続され患者５７のデータを記憶する患者データ記憶部１６と、表示部１７と、治療台２７を移動させるための治療台移動機構１８を備える。そして、この放射線治療装置全体は、制御部１０により制御される。
【００１８】
水平照射ポート２１および垂直照射ポート２２は、検査室内に固定されている。そして、Ｘ線検出器２４は、Ｘ線管２６と患者５７を介して対向する水平照射ポート２１の前面の撮影位置と、水平照射ポート２１から離隔した退避位置との間を移動可能となっており、Ｘ線検出器２３は、Ｘ線管２５と患者５７を介して対向する垂直照射ポート２２の前面の撮影位置と、垂直照射ポート２２から離隔した退避位置との間を移動可能となっている。
【００１９】
表示部１７は、グラフィカルユーザインターフェース（Ｇｒａｐｈｉｃａｌ  Ｕｓｅｒ  Ｉｎｔｅｒｆａｃｅ：ＧＵＩ）として機能するものであり、例えば、液晶表示パネル等から構成される。この表示部１７には、Ｘ線撮影画像やＣＴ画像が表示される他、後述する治療を行うときの患者５７と治療台２７との画像等や、放射線の照射情報やＸ線撮影情報等の、その他の情報が表示される。
【００２０】
ＣＴ撮影装置１４は、放射線治療を行うに先だって、患者５７の三次元ＣＴ撮影を行って、患者５７の患部を含むＣＴ画像を得るためのものである。ＣＴ撮影装置１４で撮影されたＣＴ画像は、治療計画装置１５に送られ、治療計画装置１５においては、患者データ記憶部１６から読み出した患者データとＣＴ撮影装置１４により撮影した三次元のＣＴ画像とに基づいて治療計画が作成される。
【００２１】
次に、上述した放射線治療装置により放射線治療を行う放射線治療工程について説明する。まず、放射線治療の基本的な工程について説明する。図３は、放射線治療の基本的な工程を示すフローチャートである。
【００２２】
放射線治療を行う場合には、患者５７が入室した後（ステップＳ１）、患者５７の位置決めを行う(ステップＳ２）。患者５７が治療に適した位置に位置決めされれば、治療ビームとしての放射線を照射する(ステップＳ３）。そして、必要な治療が終了すれば、患者５７が退室する(ステップＳ４）。
【００２３】
次に、上述した患者５７の位置決め工程（ステップＳ３）について説明する。図４は、患者５７の位置決め工程を示すフローチャートである。
【００２４】
患者５７の位置決めを行う場合には、最初に、治療計画情報を取得する(ステップＳ２１）。この治療計画情報は、ＲＴ−ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）におけるＲＴ−Ｐｌａｎファイルに記録されている。そして、このＲＴ−Ｐｌａｎファイルに含まれている治療台情報を抽出する（ステップＳ２２）。
【００２５】
また、参照用のＣＴ画像を取得する（ステップＳ２３）。治療計画の作成時には、ＣＴ画像が撮影され、ＣＴ−ＤＩＣＯＭにおいて保存されている。治療計画作成時には、このＣＴ画像を用いて治療ビームとしての放射線の照射方向等のパラメータが決定される。このＣＴ画像から、患者５７の体位情報を抽出する（ステップＳ２４）。
【００２６】
そして、ステップＳ２２において抽出された治療台情報とステップＳ２４において抽出された体位情報に基づいて、治療計画通りの治療を行うために必要な患者５７の体位と治療台２７の位置とを、表示部１７に表示する（ステップＳ２５）。このときには、表示部１７には、患者５７の体位と治療台２７の位置とともに、治療計画情報における三次元のＣＴ画像に基づいて作成されたＤＲＲ（Ｄｉｇｉｔａｌ  Ｒｅｃｏｎｓｔｒｕｃｔｅｄ  Ｒａｄｉｏｇｒａｐｈ）画像が、表示部１７に表示される。
【００２７】
図５は、表示部１７の画面を示す概要図である。また、図６は、実際の患者５７および治療台２７を示す概要図である。なお、図６(ａ)と図６（ｂ）とは、患者５７および治療台２７を、互いに９０度角度が異なる方向から見た図を示している。
【００２８】
表示部１７には、三次元のＣＴ画像に基づいて作成されたＤＲＲ画像１０１、１０２と、Ｘ線撮影画像１０３、１０４と、治療計画通りの治療を行うために必要な患者５７の体位と治療台２７の位置を示す画像１０７が表示される。また、表示部１７には、患者５７のデータ等を含む各種の情報を示す情報表示領域１０５と、放射線治療装置が配置される治療室内を撮影するカメラにより撮影された患者を含む治療室内の画像１０６が表示される。画像１０６は、例えば、患者５７と、治療台２７との画像を含み、実際の患者５７の体位と治療台２７の位置とを表している。治療計画通りの治療を行うために必要な患者５７の体位と治療台２７の位置を示す画像１０７と、放射線治療装置が配置される治療室内を撮影するカメラにより撮影された患者を含む治療室内の画像１０６との一方のみを選択的に切り替えて表示部に表示するようにしてもよい。なお、この時点においては、Ｘ線撮影画像１０３、１０４は、まだ、表示されていない。
【００２９】
図５に示す状態においては、表示部１７に表示される治療計画通りの治療を行うために必要な患者５７の体位と治療台２７の位置を示す画像１０７は、図６に示す実際の患者５７の体位および治療台２７の位置と概ね一致している。図６に示す患者５７の体位や治療台２７の位置が、表示部１７に表示された治療計画通りの治療を行うために必要な患者５７の体位と治療台２７の位置を示す画像１０７と大幅に異なっていた場合には、オペレータが表示部１７における画像１０７を確認することで、誤りを容易に認識することが可能となる。
【００３０】
再度、図４を参照して、次に、治療台移動機構１８から、治療台２７の位置情報を取得する（ステップＳ２６）。そして、そのときの治療台２７の位置と治療計画通りの治療を行うために必要な治療台２７の位置との差が許容範囲を大きく超えている場合には、この時点で、予め、警告表示を行う(ステップＳ２７）。これは、ヒューマンエラー等により治療台２７の位置が治療計画の位置より大幅にずれていることを警告するためのものである。
【００３１】
次に、Ｘ線撮影画像を取得する（ステップＳ２８）。このＸ線撮影画像は、一対のＸ線管２５、２６と、これらのＸ線管２５、２６から照射され患者５７を通過したＸ線を測定するための一対のＸ線検出器２３、２４を備えたＸ線撮影部１２により患者５７をＸ線撮影することにより得られる。そして、表示部１７には、Ｘ線撮影画像１０３、１０４が表示される。
【００３２】
図５から明らかなように、表示部１７に表示された治療計画に基づくＤＲＲ画像１０１、１０２と、実際に患者５７を撮影して得たＸ線撮影画像１０３、１０４とにおいては、患者５７を表す画像が完全には対応していない。このため、治療台２７の位置ずれにより、治療計画通りの治療を行うために必要な患者５７の位置と、実際の患者５７の位置とは、正確には一致していないことになる。
【００３３】
次に、表示部１７に表示された治療計画に基づくＤＲＲ画像１０１、１０２と、実際に患者５７を撮影して得たＸ線撮影画像１０３、１０４とに対して、自動位置決めまたは手動位置決めを実行することにより、治療台２７の位置ずれ量を算出する(ステップＳ２９）。そして、この治療台２７の位置ずれ量が許容範囲内か否かを判定する（ステップＳ３０）。
【００３４】
治療計画に基づくＤＲＲ画像１０１、１０２と実際に患者５７を撮影して得たＸ線撮影画像１０３、１０４とに基づいて判定した治療台２７の位置ずれ量が許容範囲内である場合には、患者位置決め工程（ステップＳ２）を終了し、治療ビーム照射工程（ステップＳ３）に移行する。一方、治療台２７の位置ずれ量が許容範囲外である場合には、患者５７の位置を治療計画通りの位置に移動させるために、位置ずれ量算出工程（ステップＳ２９）において算出された位置ずれ量に基づいて治療台２７を移動させる。そして、ステップＳ２６からステップＳ３２を繰り返す。
【００３５】
図７は、ＤＲＲ画像１０１、１０２とＸ線撮影画像１０３、１０４とに基づいて判定した治療台２７の位置ずれ量が許容範囲内となったときの表示部１７の画面を示す概要図である。また、図８は、そのときの実際の患者５７および治療台２７を示す概要図である。なお、図８(ａ)と図８（ｂ）とは、患者５７および治療台２７を、互いに９０度角度が異なる方向から見た図を示している。
【００３６】
この状態においては、表示部１７に表示された治療計画に基づくＤＲＲ画像１０１、１０２と、実際に患者５７を撮影して得たＸ線撮影画像１０３、１０４とにおいて、患者５７を表す画像が完全に対応している。また、図８に示す患者５７の体位と治療台２７の位置と、表示部１７に表示される治療計画通りの治療を行うために必要な患者５７の体位と治療台２７の位置を示す画像１０７とが完全に対応している。これにより、患者位置決め工程（ステップＳ２）を終了し、治療ビーム照射工程（ステップＳ３）に移行する。
【００３７】
次に、この発明の他の実施形態について説明する。図９は、この発明の第２実施形態に係る放射線治療装置の概要図である。また、図１０は、放射線治療装置におけるヘッド５５およびヘッド支持部５４の揺動動作を示す説明図である。
【００３８】
この第２実施形態に係る放射線治療装置は、第１実施形態に係る放射線治療装置と同様、治療台５６上で横たわった患者５７の患部に対してＸ線や電子線等の放射線を照射して放射線治療を行うためのものであり、治療室の床面５１上に設置されたガントリー５３と、このガントリー５３に対して水平方向を向く軸を中心として揺動するヘッド支持部５４と、このヘッド支持部５４に支持され、患者５７に向けて放射線を照射するためのヘッド５５とを備える。このヘッド５５は、放射線照射部として機能するものであり、第１実施形態における放射線治療装置の水平照射ポート２１または垂直照射ポート２２に相当するものである。この第２実施形態に係る放射線治療装置によれば、ヘッド支持部５４の揺動動作により、単一のヘッド５５を使用した場合においても、患者５７の患部に対して、様々な角度から放射線を照射することが可能となる。
【００３９】
このような透視を実行するための、第１Ｘ線管１ａと第１Ｘ線検出器２ａとから成る第１Ｘ線透視機構と、第２Ｘ線管１ｂと第２Ｘ線検出器２ｂとから成る第２Ｘ線透視機構と、これらの第１Ｘ線管１ａと第１Ｘ線検出器２ａとを互いに対向配置される第１透視位置および第２透視位置に移動させるとともに、第２Ｘ線管１ｂと第２Ｘ線検出器２ｂとを互いに対向配置される第１透視位置および第２透視位置に移動させる移動機構とを備える。なお、第１、第２Ｘ線検出器２ａ、２ｂとしては、例えば、イメージインテンシファイア（Ｉ．Ｉ．）やフラットパネルディテクタ（ＦＰＤ）が使用される。
【００４０】
第１Ｘ線管１ａは、Ｘ線管用第１台座３ａに支持されている。また、第２Ｘ線管１ｂは、Ｘ線管用第２台座３ｂに支持されている。撮影室の床面５１に形成された凹部の底面５２には、二つの直線部を円弧部を含む連結部により接続した略Ｕ字状のＸ線管用の第１レール７３と、このＸ線管用の第１レール７３と同様、二つの直線部を円弧部を含む連結部により接続した略Ｕ字状のＸ線管用の第２レール７４とが配設されている。これらのＸ線管用の第１レール７３およびＸ線管用の第２レール７４は、互いに平行に配置されている。そして、Ｘ線管用第１台座３ａおよびＸ線管用第２台座３ｂは、これらのＸ線管用の第１、第２レール７３、７４により案内されて、第１透視位置および第２透視位置に移動する。
【００４１】
同様に、第１Ｘ線検出器２ａは、Ｘ線検出器用第１台座４ａに支持されている。また、第２Ｘ線検出器２ｂは、Ｘ線検出器用第２台座４ｂに支持されている。撮影室の天井からは、二つの直線部を円弧部を含む連結部により接続した略Ｕ字状のＸ線検出器用の第１レール７１と、このＸ線検出器用の第１レール７１と同様二つの直線部を円弧部を含む連結部により接続した略Ｕ字状のＸ線検出器用の第２レール７２とが吊下されている。これらのＸ線検出器用の第１レール７１およびＸ線検出器用の第２レール７２は、互いに平行に配置されている。そして、Ｘ線検出器用第１台座４ａおよびＸ線検出器用第２台座４ｂは、これらのＸ線検出器用の第１、第２レール７１、７２により案内されて、第１透視位置および第２透視位置に移動する。
【００４２】
図１１は、第１Ｘ線管１ａ、第２Ｘ線管１ｂ、第１Ｘ線検出器２ａ、第２Ｘ線検出器２ｂが、各々、第１透視位置および第２透視位置に配置された状態を示す説明図である。
【００４３】
この放射線治療装置におけるＸ線撮影部は、予め設定された三つのポジションにおいて、患者５７を互いに異なる二方向から透視する構成を有する。図１１（ａ）は、第１Ｘ線管１ａ、第２Ｘ線管１ｂ、第１Ｘ線検出器２ａ、第２Ｘ線検出器２ｂが、第１のポジションにおいて、患者５７を互いに異なる二方向から透視する状態を示し、図１１（ｂ）は、第１Ｘ線管１ａ、第２Ｘ線管１ｂ、第１Ｘ線検出器２ａ、第２Ｘ線検出器２ｂが、第２のポジションにおいて、患者５７を互いに異なる二方向から透視する状態を示し、図１１（ｃ）は、第１Ｘ線管１ａ、第２Ｘ線管１ｂ、第１Ｘ線検出器２ａ、第２Ｘ線検出器２ｂが、第３のポジションにおいて、患者５７を互いに異なる二方向から透視する状態を示している。
【００４４】
このように、この放射線治療装置におけるＸ線撮影部は、三つのポジションにおいて患者５７を互いに異なる二方向から透視する構成であることから、図１０に示すように、放射線治療装置におけるヘッド５５が、患者５７に対して様々な角度から放射線を照射する場合においても、ヘッド５５の移動に支障を来すことなくＸ線透視を実行することが可能となる。そして、このような三つのポジションにおいては、第１Ｘ線管１ａと第２Ｘ線管１ｂ、また、第１Ｘ線検出器２ａおよび第２Ｘ線検出器２ｂは、予め設定された第１透視位置または第２透視位置のいずれかの一方の位置に配置されることになる。
【００４５】
なお、図１１（ａ）に示す第１のポジションにおいては、第１Ｘ線管１ａは第１透視位置に、第２Ｘ線管１ｂは第１透視位置に、第１Ｘ線検出器２ａは第１透視位置に、第２Ｘ線検出器２ｂは第１透視位置に、各々、配置される。図１１（ｂ）に示す第２のポジションにおいては、第１Ｘ線管１ａは第２透視位置に、第２Ｘ線管１ｂは第１透視位置に、第１Ｘ線検出器２ａは第２透視位置に、第２Ｘ線検出器２ｂは第１透視位置に、各々、配置される。図１１（ｃ）に示す第３のポジションにおいては、第１Ｘ線管１ａは第２透視位置に、第２Ｘ線管１ｂは第２透視位置に、第１Ｘ線検出器２ａは第２透視位置に、第２Ｘ線検出器２ｂは第２透視位置に、各々、配置される。
【００４６】
Ｘ線管用第１台座３ａおよびＸ線管用第２台座３ｂが、Ｘ線管用の第１、第２レール７３、７４により構成される移動経路２０に沿って移動することにより、第１Ｘ線管１ａおよび第２Ｘ線管１ｂが、各々、第１透視位置および第２透視位置に配置される。また、Ｘ線検出器用第１台座４ａおよびＸ線検出器用第２台座４ｂが、Ｘ線検出器用の第１、第２レール７１、７２により構成される移動経路１０に沿って移動することにより、第１Ｘ線検出器２ａおよび第２Ｘ線検出器２ｂが、各々、第１透視位置および第２透視位置に配置される。
【００４７】
この第２実施形態に係る放射線治療装置においても、図３および図４に示す工程により放射線治療が実行される。そして、この第２実施形態に係る放射線治療装置においては、表示部１７の表示内容が第１実施形態に係る放射線治療装置とは異なっている。すなわち、この第２実施形態に係る放射線治療装置においては、表示部１７に表示される治療計画通りの治療を行うために必要な患者５７の体位と治療台２７の位置を示す画像１０７に対して、放射線照射部としてのヘッド５５と、第１Ｘ線管１ａおよび第２Ｘ線管１ｂと、第１Ｘ線検出器２ａおよび第２Ｘ線検出器２ｂとの位置を、併せて表示するようにしている。
【００４８】
図１２は、このような実施形態における表示部１７の画面を示す概要図である。
【００４９】
表示部１７には、上述した第１実施形態の場合と同様、三次元のＣＴ画像に基づいて作成されたＤＲＲ画像１０１、１０２と、Ｘ線撮影画像１０３、１０４と、治療計画通りの治療を行うために必要な患者５７の体位と治療台２７の位置を示す画像１０７が表示される。また、表示部１７には、患者のデータ等を含む各種の情報を示す情報表示領域１０５と、放射線治療装置が配置される治療室内を撮影するカメラにより撮影された患者を含む治療室内の画像１０６が表示される。そして、患者５７の体位と治療台２７の位置を示す画像１０７には、ヘッド５５と、第１Ｘ線管１ａおよび第２Ｘ線管１ｂと、第１Ｘ線検出器２ａおよび第２Ｘ線検出器２ｂとの位置が併せて表示される。これにより、ヘッド５５と、第１Ｘ線管１ａおよび第２Ｘ線管１ｂと、第１Ｘ線検出器２ａおよび第２Ｘ線検出器２ｂとの位置の適否をも確認することが可能となる。
【符号の説明】
【００５０】
１ａ      第１Ｘ線管
１ｂ      第２Ｘ線管
２ａ      第１Ｘ線検出器
２ｂ      第２Ｘ線検出器
１０      制御部
１１      放射線照射部
１２      Ｘ線撮影部
１４      ＣＴ撮影装置
１５      治療計画装置
１６      患者データ記憶部
１７      表示部
１８      治療台移動機構
２１      水平照射ポート
２２      垂直照射ポート
２３      Ｘ線検出器
２４      Ｘ線検出器
２５      Ｘ線管
２６      Ｘ線管
２７      治療台
５３      ガントリー
５４      ヘッド支持部
５５      ヘッド
５６      治療台
５７      患者
７１      第１レール
７２      第２レール
７３      第１レール
７４      第２レール
【図１】
2015157011.tif 000003
【図２】
2015157011.tif 000004
【図３】
2015157011.tif 000005
【図４】
2015157011.tif 000006
【図５】
2015157011.tif 000007
【図６】
2015157011.tif 000008
【図７】
2015157011.tif 000009
【図８】
2015157011.tif 000010
【図９】
2015157011.tif 000011
【図１０】
2015157011.tif 000012
【図１１】
2015157011.tif 000013
【図１２】
2015157011.tif 000014